(57)【要約】【課題】  表面シートからの液の引き込み性、及び吸収ポイント近くでの液の保持性に優れた吸収性物品を提供すること。【解決手段】吸収体４に、裏面シート側及び／又は表面シート側から陥没する多数の圧縮部７が互いに離間して形成されており、圧縮部７は液吸収によってその厚みが液吸収前よりも増加するようになされている。圧縮部７は、最小厚み部８と傾斜部９とから形成されており、傾斜部９と最小厚み部８とは厚みが緩やかに変化しながら連なっている。【選択図】    図１
2006055352.tif 000002
【特許請求の範囲】
【請求項１】
表面シート、裏面シート及びこれら両シート間に介在された吸収体を具備した吸収性物品であって、
前記吸収体には、裏面シート側及び／又は表面シート側から陥没する多数の圧縮部が互いに離間して形成されており、前記圧縮部は液吸収によってその厚みが液吸収前よりも増加するようになされている吸収性物品。
【請求項２】
前記圧縮部は、最小厚み部と傾斜部とから形成されており、傾斜部と最小厚み部とは厚みが緩やかに変化しながら連なっている請求項１記載の吸収性物品。
【請求項３】
前記圧縮部は液吸収によってその厚みが液吸収前よりも１．５〜１５倍増加するようになされている請求項１又は２記載の吸収性物品。
【請求項４】
前記吸収体において、前記圧縮部が形成されていない非圧縮部は、液吸収によってその厚みが液吸収前よりも増加するようになされており、
液吸収後の圧縮部の厚みが、液吸収後の非圧縮部の厚みの５０〜９０％である請求項１ないし３の何れかに記載の吸収性物品。
【請求項５】
前記吸収体において、前記圧縮部が形成されていない非圧縮部は、液吸収によってその厚みが液吸収前よりも減少するか又は変化しないようになされており、
液吸収後の圧縮部の厚みが、液吸収後の非圧縮部の厚みの５０〜９０％である請求項１ないし３の何れかに記載の吸収性物品。
【発明の詳細な説明】
【技術分野】
【０００１】
本発明は、生理用ナプキン、パンティライナ、おりものシート、失禁パッド、使い捨ておむつ等に用いられる吸収性物品に関する。
【背景技術】
【０００２】
吸収性物品の吸収体に、離間した多数のエンボス凹部を形成した吸収性物品が知られている。例えば、平面視形状が直線を含まず且つ窪みの無い状態に形成することにより、吸収体の弾性的及び変形的な柔らかさを残しながら吸収シートの厚みを薄くした吸収性物品が提案されている（特許文献１参照）。この吸収体を用いた吸収性物品では、吸収体に柔らかさを残しながら、薄くすることが容易であるとされている。
【０００３】
また、吸収体に、比較的低密度のタフト区域をチャネルによって相互分離および包囲したパターンを形成し、更に、チャネルには貯蔵区域と輸送区域が形成されており、これらの区域の一方が他方を相互分離し包囲する吸収性パッドが提案されている（特許文献２参照）。この吸収性パッドによれば、輸送区域は貯蔵区域より大きい密度を有し、貯蔵区域はタフト区域より大きい密度を有するため、液の拡散性と保持性に優れるとされている。
【０００４】
コアにチャネルを形成する少なくとも２つのくぼみ部分を形成し、この凹み部において表面シートとコアが永久的に接合される吸収性物品も提案されている（特許文献３参照）。この吸収性物品によれば、表面シートから吸収体へ良好な液体輸送が行われるとされている。
【０００５】
【特許文献１】特開２００３−３３３９７号公報
【特許文献２】特許２６２０３０５号公報
【特許文献３】特開平１１−５０１５５９号公報
【発明の開示】
【発明が解決しようとする課題】
【０００６】
しかし、特許文献１記載の発明では、平面視形状で窪みのないエンボス部を形成すし吸収体の厚みを薄くしているため、エンボス凹部の底面に強い圧力を加えて平面視で窪みのない形状を作り出さねばならない。従ってエンボス凹部では殆ど吸収容量が得られない。またこの発明は柔軟な吸収体を得ることを目的としているので、吸収体における液の拡散性が考慮されていない。
【０００７】
特許文献２記載の発明では、連続的なチャネル（溝構造）が形成され、その中に輸送区域もしくは貯蔵区域の一方が他方を包囲する構造で設けられているので、溝内の吸収容量の少ない貯蔵区域へ液は移動しやすいが、吸収容量の多いタフト区域との密度差が大きくかつ極度に変化する構造のため液が渡りにくく、液吸収ポイント近くでの吸収容量が充分に確保できない吸収体となる。
【０００８】
特許文献３記載の発明では、連続的につながるチャネルによる凹み部を形成していることから、特許文献２と同様に、チャネルからその周囲の吸収体へ、密度差を利用した液の移動が起こりにくい。更に、チャネル内の液吸収された部分に隣接して液吸収されていないチャネル部分が存在するため、チャネルでは液の保持性が確保できない。
【０００９】
従って本発明の目的は、前述した従来技術が有する種々の欠点を解消し得る吸収性物品を提供することにある。
【課題を解決するための手段】
【００１０】
本発明は、表面シート、裏面シート及びこれら両シート間に介在された吸収体を具備した吸収性物品であって、
前記吸収体には、裏面シート側及び／又は表面シート側から陥没する多数の圧縮部が互いに離間して形成されており、前記圧縮部は液吸収によってその厚みが液吸収前よりも増加するようになされている吸収性物品を提供することにより前記目的を達成したものである。
【発明の効果】
【００１１】
本発明の吸収性物品は、表面シートからの液の引き込み性、及び吸収ポイント近くでの液の保持性に優れる吸収体によって、液戻り防止性に優れ、漏れ防止性能が発現されると共に、表面に液を残さずサラッとした湿潤感の低減された快適な装着感を与える。
【発明を実施するための最良の形態】
【００１２】
〔第１の実施形態〕
以下本発明を、その好ましい実施形態に基づき図面を参照しながら説明する。
本発明の吸収性物品における一実施形態である生理用ナプキン１は、図１及び２に示すように表面シート２、裏面シート３、及びこれら両シート間に介在された吸収体４を具備し、実質的に縦長に形成されている。ナプキン１の表面シート側には、両側縁部にそれぞれ側部シート５が配されている。側部シート５及び裏面シート３は、吸収体４の長手方向の両側縁より幅方向外方に延出して一対のウイング部５０を形成し、その幅方向延出端部において互いに接合されている。また、表面シート２及び裏面シート３は、吸収体４の長手方向の前後端から長手方向外方に延出し、その延出部において互いに接合されてエンドシール部６を形成している。
【００１３】
表面シート２は液透過性である。表面シート２としては開孔または未開孔の不織布や開孔フィルムなどが好ましく用いられる。不織布を構成する繊維としては、ポリエチレン、ポリプロピレンなどのオレフィン、ポリエステル、ポリアミド、ポリウレタンなどの合成樹脂を単独繊維や複合繊維が用いられる。この他、コットン、レーヨンなどの天然繊維・再生繊維を用いることもできる。これらの繊維は、カード法やエアレイド法によりウエブ化された後、エアスルー法、熱エンボスによるヒートロール法や、スパンレース法等により不織布化される。或いは、スパンボンド法やメルトブローン法により繊維化され、更に不織布化される。
【００１４】
図２に示すように、表面シート２は、例えば芯鞘型複合繊維（芯：ポリエチレンテレフタレート、鞘：ポリエチレン）をエアスルー法により嵩高な不織布とした後、肌当接面側からエンボスが施されている。その結果、肌当接面側に多数の凸部が形成されている。これによって、サラット感・クッション感に優れた表面シートとなる。表面シート２の吸収体側は平坦な構造なので、吸収体４との接触性が良く、液の吸収体４への移動性に優れる。
【００１５】
裏面シート３は、例えばポリエチレンやポリプロピレン等のオレフィン系樹脂によるシート材料や、疎水性ないし撥水性の不織布等を単独もしくは複合して用いることができる。このような材料から構成される裏面シート３は液不透過性である。特に、オレフィン系樹脂に無機フィラー等を混入した後、延伸してフィルム化した透湿性シートや、スパンボンド不織布間にメルトブロー層を形成したＳＭＳ不織布等を裏面シート３として用いると、ムレ感を低減できる点から好ましい。裏面シートとして不織布を用いる場合には、ナプキン１の中央域を樹脂シートで被覆したり、中央域にホットメルトなどを貼りつける等して、部分的に防漏機能を高めることも好ましい。本実施形態における裏面シート３は、ポリエチレンに無機フィラーを混入後、延伸した透湿性シートである。尚、裏面シート３の吸収体側に液不透過性シートを更に介在させる場合は、裏面シート３に液不透過性は必要とされない。
【００１６】
吸収体４は、フラッフパルプの集合体内に高吸収性ポリマーが分散配置され、全体が薄い吸収紙で覆われて形成されている。高吸収性ポリマーはパルプ中に混合された状態で用いられる他、裏面シート側に散布したり、層状にして厚み方向中央に挿入することができる。或いは、公知手段によりポリマーシート化するなどの手段で部分的に配置しても良い。吸収体４においては、パルプと高吸収性ポリマーが部分的に、又はその全体が薄い吸収紙や不織布等のシートで被覆されていると、高吸収性ポリマーの脱落が防止されるので好ましい。しかし、シートで被覆せず用いることも可能である。パルプと高吸収性ポリマーを覆うシートには、必要に応じ、通液性を高めること等を目的として、開孔処理や親水化処理が施されていても良い。また、吸収体４に合成繊維や架橋処理等をおこなった嵩高パルプ繊維を配合して、液吸収時の圧縮部の復元性を向上させても良い。また、高吸収性ポリマーは用いなくても良い。
【００１７】
図２に示すように、本実施形態における吸収体４には、吸収紙（図示せず）を通して裏面シート側から凹状に陥没した圧縮部７が、互いに離間して吸収体４全体に散点状に配置されている。図２の拡大図に示されているように、圧縮部７は、最小厚み部８と傾斜部９から形成されている。圧縮部以外は、隣接する圧縮部間で最も厚くなされている非圧縮部１０となっている。傾斜部９はなだらかなカーブを持っており、傾斜部９と最小厚み部８とは厚みが緩やかに変化しながら連なっている。傾斜部９は、厚みＴ1をもつ最小厚み部８と厚みＴ2をもつ非圧縮部１０とを滑らかに連ねている。最小厚み部８での吸収体構造を崩さずに、液吸収後の復元を大きくする観点から、最小厚み部７側端部と非圧縮部９側端部を結ぶ線と吸収体表面とのなす角度θは５〜６０°であることが好ましく、７〜４５°がより好ましく、１０〜３０°であることが一層好ましい。なお、吸収体４において凹状にくぼんだ部位は裏面シート側だけに存在し、表面シート側の面はほぼ平坦に形成されている。
【００１８】
吸収体４では、多数の圧縮部８が互いに離間して配置されているので、非圧縮部１０から最小厚み部８までの吸収体の構造が圧縮部周囲全てに連続して形成されており、圧縮部８は液吸収によってその厚みが液吸収前よりも増加するようになされている（以下、この現象を単に復元ともいう）。このため、液が吸収された部位の間近の圧縮部８における液保持機能が向上し、液戻りが少なく、表面シート２の湿潤感が低減される効果が奏される。また、液吸収によって圧縮部８の厚みが非圧縮部１０に近づくことで、非圧縮部１０へ液が移動しやすくなる。従って、液吸収ポイント付近の吸収体４が有効に利用され、液保持機能が一層向上する。
【００１９】
更に、吸収体４が、以下の第１から第４の構造を有することによって、各々の効果が奏される。第１に、圧縮部７になだらかなカーブをもつ傾斜部９が形成されているので、最小厚み部８における吸収体構造の断絶が防止され、復元を一層起こりやすくしている。これによって、吸収体４の液保持機能がより高められる。第２に、ゆるやかに厚みを変化させている傾斜部９によって、非圧縮部１０から最小厚み部８の間に密度勾配が形成されるので、表面シート２から吸収体４に導かれた液が素早く圧縮部７の最小厚み部８へ導かれる。これによって、表面シート２から液が引き込まれやすくなり、表面シート２の湿潤感がより低減される。第３に、吸収体４の表面シート側の面が平坦な構造なので、表面シート２と吸収体４の接触が良く、表面シート２を通過した液が吸収体４に導かれやすい。それによって、表面シート２での液の拡散が起こりにくくなり、表面シート２の湿潤感が更に低減される。第４に、高吸収ポリマーが分散配置されているので、圧縮部７の復元によって、圧縮部７に配置されている高吸収性ポリマーによる液の吸収が起こりやすくなり、液の保持効果が一層高くなる。
【００２０】
液吸収前の最小厚み部８の厚みＴ1は、液の引き込み性を高くし、また圧縮部７に復元性を付与する観点から、液吸収前の非圧縮部１０の最大厚みＴ2の１０〜６０％であることが好ましく、１０〜５０％であることが更に好ましく、１５〜４０％であることが一層好ましい。図３に示すように、液吸収前の圧縮部７における最小厚み部８の厚みＴ1と、液吸収後の同位置における厚みＴ1’を比較すると、厚みＴ1’は厚みＴ1の１．５〜１５倍、特に２〜１０倍であることが好ましい。
【００２１】
図３に示す液吸収後の非圧縮部１０の最大厚みＴ2’と液吸収前の最大厚みＴ2との関係は、高吸収性ポリマーが吸収体４内に配置されているか否かによって相違する。高吸収性ポリマーが配置されている場合には、Ｔ2’は液吸収前の厚みＴ2と同等又はそれよりも大きくなる。Ｔ2’はＴ2の１〜１０倍であることが好ましい。一方、吸収体４内に高吸収性ポリマーが配置されていない場合には、圧縮弾性の強い繊維を使用した吸収体を全体的に圧縮して湿潤時に厚みが復元するように形成した場合（この場合は高吸収性ポリマー配合の場合と同じ）を除き、吸収体（特にパルプ繊維）のへたりによって、液吸収後の非圧縮部１０の厚みＴ2’は、液吸収前の厚みＴ2の０．７〜１倍となる。しかしながら、液吸収による復元後の圧縮部７の厚みＴ1’を、液吸収による復元後の非圧縮部１０の最大厚みＴ2’と比較した場合、圧縮部７における最小厚み部８から傾斜部９を経て非圧縮部１０にいたる吸収体構造が断絶せず連続性を持っているので（つまり急激な密度変化がないので）、ポリマーの配置の有無に関係なく同様の復元性を示す。即ち、非圧縮部１０が、液吸収によって液吸収前よりも厚みが増加する場合と、減少するか又は変化しない場合とを問わず、液吸収後の圧縮部７の厚みＴ1’は、液吸収後の非圧縮部１０の最大厚みＴ2’の５０〜９０％であることが好ましく、６０〜８５％であることが一層好ましく、６５〜８０％であることが更に好ましい。なお、高吸収ポリマーが吸収体４に配されている場合には、飛躍的に吸収容量が高まることは勿論のことである。
【００２２】
本実施形態における吸収体４の非圧縮部１０では、液吸収後の厚みＴ2’が液吸収前の厚みＴ2よりも大きくなっている。この主要因は高吸収性ポリマーの膨潤によるものである。例えばパルプ坪量１００〜４００ｇ／ｍ2、高吸収性ポリマー坪量２０〜５０ｇ／ｍ2の吸収体の場合、液吸収後の厚みＴ2’は、液吸収前の厚みＴ2の１．２〜３.０倍程度となるが、高吸収性ポリマーの量によってはこれ以上厚みが大きくなる。
【００２３】
液吸収前の圧縮部７の厚みＴ1は、０．３〜３ｍｍであることが好ましい。液吸収前の非圧縮部１０の厚みＴ2は、１〜１０ｍｍであることが吸収体４の柔軟性の観点から好ましい。吸収体４におけるパルプの坪量は、１００〜４００ｇ／ｍ2、特に１５０〜３００ｇ／ｍ2であることが好ましい。液吸収前の圧縮部７の密度は０．１〜０．６ｇ／ｃｍ3であることが好ましく、液吸収前の非圧縮部１０の密度は、０．０１〜０．１ｇ／ｃｍ3であることが好ましい。
【００２４】
圧縮部７の形成方法としては、互いに離間した突起を持つ１００℃以上に加熱されたエンボスロールとフラットな受けロールの間を一定の間隔を保ちながら吸収体４を通し、最小厚み部を熱圧縮する熱エンボス法が一例として挙げられる。或いは、最小厚み部と傾斜部に相当する突起をもった１００℃未満に加熱されたエンボスロールにより最小厚み部と傾斜部を形成する圧縮エンボス法を用いることもできる。更に、親水性接着成分（親水性接着剤、親水性合成繊維や親水性樹脂粒子など）を吸収体中に配合するか、或いは部分的に塗工し圧縮時に最小厚み部を固定する水溶性接着剤法を用いることもできる。これらの方法はそれぞれ単独で、或いは任意に組合せて用いることが可能である。
【００２５】
本実施形態における吸収体４では、裏面シート側にエンボスロールを配する熱エンボス加工により圧縮部７を形成している。この際、なだらかな傾斜部９を形成しやすいように、エンボスロールのピン相当部分以外の部分が吸収体に接し、全体（特に非圧縮部）が一時的に圧縮される部分圧縮を行っている。また、このような部分圧縮工程の前に吸収体４をロール間に挿入するなどして弱圧縮し、部分圧縮工程で圧縮部以外が圧縮されないように吸収体４の厚みを調整し、部分圧縮工程後に最小厚み部以外の嵩回復を利用して、なだらかな傾斜部９を形成しやすくすることもできる。全体圧縮時とエンボスロール等による部分圧縮時の両方で吸収体全体を圧縮する方法が、なだらかな傾斜部９を形成する方法として最も好ましい。また、親水性接着成分を吸収体４に配合することが、液吸収時まで最小厚み部８を安定的に固定する方法として最も好ましい。更に、吸収体４の表面シート側を平坦にし易くすることを目的として、エンボスロールのピン相当部分にくぼみを形成した受けロールを使用することも可能である。本発明では、圧縮を受けていたとしても隣接する圧縮部間の厚みが最大となる部分を非圧縮部とする。
【００２６】
隣接する圧縮部間（圧縮部の中心間）における距離は、表面シート２からの液の引き込み性を高め、吸収体４を硬くし過ぎない観点から、１〜１０ｍｍが好ましく、２〜７ｍｍが更に好ましく、３〜６ｍｍが一層好ましい。最小厚み部８は、圧縮部７の形状を液吸収前まで安定させ、液吸収時に復元しやすくする観点から、隣接する圧縮部間の線上における長さが０．５〜４ｍｍであることが好ましく、１〜３ｍｍが更に好ましい。
【００２７】
非圧縮部１０の最大厚みＴ2が存する位置は、圧縮部間を結ぶ最短線上の中間であることが好ましい。また、吸収体４の柔軟性の観点から、前記最短線上の５０％以下の長さにわたって、非圧縮部１０の最大厚みＴ2が存する位置が存在していることが好ましく、２０〜４０％であることがより好ましい。一方、液の拡散性を高め、表面シート２からの液の引き込み性を高める観点からは、前記最短線上の０〜２０％の長さにわたって非圧縮部１０の最大厚みＴ2が存する位置が存在していることが好ましく、０〜１０％であることがより好ましく、０〜５％がさらに好ましい。なお、非圧縮部１０は、圧縮部間を結ぶ最短線上において傾斜部９に隣接して形成され、この最短線上ではほぼ同じ厚み（Ｔ2）を有しているが、最短線上以外では異なる厚みを有していても良い。
【００２８】
圧縮部７の平面視での形状は、円形、楕円形、三角形、四角形などであり得る。圧縮部７の復元が起こりやすくするために、最小厚み部８の中央部を中抜き形状とすることもできる。圧縮部７の配置パターンは、千鳥パターン、格子パターンなどの散点状パターンを用いることができる。最短距離にある圧縮部７は、圧縮部７を経由して液が拡散するので、液漏れを防止する観点から、幅方向に一列に並ばないように配置されていることが好ましく、ランダムに配置されるか（最短距離にある圧縮部７が斜め方向を向いている）、幅方向から３０°〜６０°傾きをもって配置されることが好ましい。
【００２９】
本実施形態における表面シート２は、先に述べた通り肌当接面側に凸部を有している。表面シート２の液残りを一層低減しやすくするために、２層構造又は２枚のシートを部分的に接合して、上層から下層に液を導き易くし、密度勾配や親水勾配が施された毛管勾配のある表面シートとなすことが一層好ましい。
【００３０】
側部シート５としては、所望する機能に応じて撥水性不織布、親水性不織布、不織布−フィルムのラミネートシート、開孔／未開孔フィルム等を使用することができる。肌触り感がよく、経血やおりもの等の浸透を防止する観点からは、撥水性不織布が好ましく用いられる。ナプキン１の側部表面に吸収性を付与したい場合には、親水性不織布が用いられる。吸収性と防漏性を両立させたい場合には、肌当接面側に不織布を配した不織布−フィルムのラミネートシートを用いることが好ましい。液透過性を付与させたい場合には開孔フィルムが好ましい。ラミネートシートでは、不織布−フィルムの接合をポイント的に施すことによって肌触り性の向上が可能である。本実施形態では図２に示すように、ＳＭＳ不織布をナプキン１の中央側において折り返して部分的に２層構造として使用している。折り返されたＳＭＳ不織布を、例えば花柄模様などのパターンによって接合することでナプキン１に意匠性を付与することができる。表面シート２と２層シート構造とされた側部シート５は、その重なり部分において長手方向に連続するホットメルト粘着材によって接着されている。
【００３１】
〔第２の実施形態〕
図４（ａ）〜（ｃ）に示す第２の実施形態である使い捨ておむつ４０１は、表面シート４０２、裏面シート４０３、および吸収体４０４を有している。表面シート４０２は開孔不織布である。この開孔不織布は、例えば芯鞘型複合繊維（芯：ポリプロピレン、鞘：ポリエチレン）をエアスルー法により嵩高な不織布とした後、ポリエチレンの融点付近まで加熱した開孔ピンロールと受けロールの間に不織布を通し、ピンが入り込んだ部分がリブとして形成されたものである。開孔ピンロールは不織布の肌当接面側から嵌入される。裏面シート４０３は、ポリエチレンに無機フィラーを混入後、延伸した透湿性シートにホットメルト型粘着剤をスプレー途工し、ポリプロピレンよりなるＳＭＳ不織布と貼り合せたものである。
【００３２】
おむつ４０１における表面シート側の両側部には、ＳＭＳ不織布を二つ折りにした側部シート４０５が配されている。折り返し部の内部には弾性材４１１が配され、側部シート４０５の先端部が起立するようにして立体ギャザー部を形成している。側部シート４０５はその起立位置において表面シート４０２と接合している。また、側部シート４０５は、吸収体４の側縁部から延出した部分が、同じく吸収体４の側縁部から延出した裏面シート４０３と接合されてレッグフラップを形成している。レッグフラップには弾性材４１２が配されて、脚周りにフィットするようにレッグギャザー部を形成している。
【００３３】
本実施形態に用いられる吸収体４０４は、フラッフパルプに高吸収性ポリマーが分散配置されたものである。図４（ｃ）に示すように、吸収体４は、幅方向中央領域と側部領域とで、圧縮部４０７間の距離が異なっている。しかし圧縮部４０７と非圧縮部４１０の厚みは、中央領域と側部領域とで異なるところはない。従って中央領域及び側部領域の何れにおいても、液吸収後の圧縮部４０７の復元による液吸収性を有している。また、圧縮部４０７の距離が異なることに起因して非圧縮部４１０の厚みに違いがある場合であっても、液吸収後の圧縮部４０７の復元による液吸収性を有している。
【００３４】
吸収体４においては、中央領域の圧縮部間の距離Ｐｃが、側部領域の圧縮部間の距離Ｐｓに比べ狭くなされているので、中央領域では吸収体による液拡散がより起こり易くなっている。その結果、表面シートからの液の引き込み性が良くなる。また、液が吸収体の長手方向へ拡散しやすくなり、吸収体の使用効率も高められる。一方、側部領域では、中央領域に比べて液の拡散が抑制されるので、側部からの漏れが一層防止される。中央領域における圧縮部間の距離Ｐｃは、１〜８ｍｍが好ましく、２〜５ｍｍが更に好ましい。距離Ｐｃをこのように設定することで、中央領域での圧縮部間における、非圧縮部４１０の長さを短くし０に近づけることができ、拡散性を最も高めることができる。側部領域では、圧縮部間の距離Ｐｓは１〜１０ｍｍが好ましく、２〜７ｍｍがより好ましい。
【００３５】
本実施形態に用いられる吸収体４０４には、第１の実施形態と同様に、裏面シート側から陥没する圧縮部４０７を形成しているが、表面シート側も若干陥没している。表面シート側に凹凸がある吸収体の場合、クッション性のある中間シートを吸収体４０４と表面シート４０２との間に介在させる手段、スパイラルパターン等により接着剤を塗工して吸収体４０４を表面シート４０２と部分的に接合する手段、表面シート４０２の表面から吸収体４０４に向けてエンボスや圧縮溝を施す手段などを用いて、吸収体４０４と表面シート４０２との接触性を高めることができる。
【００３６】
〔第３の実施形態〕
第３の実施形態である生理用ナプキンは、基本形状は第１の実施形態と同様であり、表面シート、裏面シート及び吸収体を有している。また側部シートも有している。表面シートは、例えばポリエチレン製の開孔フィルムである。裏面シートは、例えばポリエチレン製フィルムにドット状エンボスを施し、凹凸形状を賦型したシートである。側部シートは、例えばＳＭＳ不織布を部分的に折り返したものである。
【００３７】
図５に示すように、本実施形態に用いられる吸収体５０４は、上層５１４と下層５２４とを有している。上層５１４は吸収体５０４の全領域に存在している。下層５２４は着用者の液排泄部に対応する部分において上層５１４の下側、即ち装着面から遠い側に重ねられている。上層５１４と下層５２４の両方には熱エンボスによる圧縮部５０７が形成されている。各層に形成されている圧縮部５０７は同じ大きさの楕円形エンボスである。しかし、下層５２４の圧縮部５０７の方が、上層５１４の圧縮部５０７よりも同一面積で多数形成されている。この結果、下層５２４の液引き込み性が上層５１４よりも高くなる。従って上層５１４から下層５２４へ液が移動しやすくなり、表面シートにおける液残りを少なくできる。また、下層５２４に比べて上層５１４の方が圧縮部５０７の数が少ないので、液の拡散性を抑制する効果も働く。
【００３８】
本実施形態においては、上層５１４及び下層５２４は、何れもパルプ及び高吸収性ポリマーからなる。パルプ及び高吸収性ポリマー以外の材料は使用していないが、上層５１４及び下層５２４を各々吸収紙で包み込んで重ね合わせても良いし、上層５１４及び下層５２４を重ね合わせて吸収紙で包み込んでも良い。また、合成繊維を３０重量％以下の量で含有させて液吸収後の圧縮部の復元性を高めても良い。
【００３９】
本実施形態においては、表面シートと上層５１４とがエンボス加工によって接合され、ナプキンの表面シート側に長円形の圧搾溝が形成されている。圧搾溝で取り囲まれた領域内においても表面シートと上層５１４とがエンボス加工によって散点状に接合されている。圧搾溝は、上層５１４と下層５２４の重ねあわせ部に隣接する周囲に設けることが好ましい。この理由は、圧搾溝で取り囲まれた領域内において、表面シートと上層５１４との接触が良好になり表面シートからの液引き込み性が向上するからである。またナプキンの使用中や吸収体５０４の製造過程において、上層５１４と下層５２４との位置ずれが起こりにくくなるからである。
【００４０】
上層５１４には、その表面シート側及び裏面シート側から陥没する多数の圧縮部が形成されている。上層５１４においては表面シート側から陥没する圧縮部の深さの方が、裏面シート側から陥没する圧縮部の深さよりも浅くなっている。圧縮部の深さの比率は、表面シート側：裏面シート側＝１：３〜1：５程度になっている。下層５２４にも、その表面シート側及び裏面シート側から陥没する多数の圧縮部が形成されている。下層５２４においては表面シート側から陥没する圧縮部の深さと、裏面シート側から陥没する圧縮部の深さとは概ね同程度になっている。圧縮部の深さの比率は、表面シート側：裏面シート側＝３：５〜５：３程度になっている。上層５１４及び下層５２４に、このような圧縮部が形成されることで、上層５１４及び下層５２４の接触安定性が向上し、位置ずれが起こりにくくなる。また上層５１４から下層５２４へ向けての液の移動性が良好になる。
【００４１】
〔第４の実施形態〕
第４の実施形態の吸収性物品は、第１の実施形態のナプキン１において、吸収体４の裏面シート側にポリマーシートを積層させたものである。ポリマーシートは、２枚の吸収紙の間に粘着材をスパイラル状に塗布し、両吸収紙間に高吸収性ポリマーを固定してシート状に形成したものである。また、吸収体４には高吸収性ポリマーが配置されておらず、更に吸収体４にポリビニルアルコール繊維等の接着性繊維が含まれている。本実施形態においては、ポリマーシートを積層させる前の吸収体に、第１の実施形態と同様の熱エンボスを施す。これによって、ポリビニルアルコール繊維の接着性を利用して圧縮部を形成する。この吸収体には高吸収性ポリマーが配置されていないので、液吸収後の非圧縮部の厚みは吸収前に比べて１０〜２０％程度減少する。しかし、液吸収後の圧縮部の厚みは液吸収前の厚みの２〜１０倍となる。液吸収後の圧縮部の厚みは、液吸収後の非圧縮部の厚みに対して５０〜９０％になる。圧縮部では、液吸収によってポリビニルアルコール繊維の接着性が低下し、圧縮部の厚みが増加する。
【００４２】
以上、本発明をその好ましい実施形態に基づき説明したが、本発明は前記実施形態に制限されず、本発明の趣旨を逸脱しない範囲において種々の変更が可能である。例えば、圧縮部間の距離を長手方向に関して狭めることで、長手方向への液の拡散を起こしやすくすることができる。また、圧縮部の形状が楕円形などの場合、圧縮部を吸収性物品の長手方向、幅方向又は斜め方向に向けて配置することで、圧縮部間の距離を変えずに液の拡散方向を制御することができる。
【００４３】
また、非圧縮部が種々の厚みをもつようにするために、１つの吸収体の中で、圧縮部間の距離や圧縮部の最小厚みが異なる種々の部分を形成してもよい。
【００４４】
なお第２ないし第４の実施形態に関し、特に説明しない点については、第１の実施形態に関して詳述した説明が適宜適用される。
【００４５】
本発明において、液吸収前後の圧縮部及び非圧縮部の復元の程度は、以下の「液吸収前後の厚み測定」および「擬似血液の調製」に記載の方法および擬似血液を使用して計測する。
【００４６】
〔液吸収前後の厚み測定〕
マイクロスコープＶＨ‐８０００（キーエンス製）を用い、５０倍で観察した断面観察によって行う。断面は、フェザー剃刀（品番ＦＡＳ‐１０、フェザー安全剃刀（株）製）を用い切断する。この切断面に対して、液吸収前の圧縮部及び非圧縮部の厚みの写った画像を記録し、そのまま切断面の表面シート側非圧縮部に、擬似血液をスポイトにて１０滴（０．７７ｇ、１０秒以内に滴下終了）滴下する。滴下３０秒後、液吸収前に画像を記録した部位の圧縮部及び非圧縮部の液吸収後の厚みの写った画像を記録し、画像から各項目を計測・算出する。
【００４７】
〔擬似血液の調製〕
２Ｌのビーカーにイオン交換水１５００ｇを入れ、マグネティックスターラーで撹拌しながら、カルボキシメチルセルロースナトリウム〔関東化学（株）製、ＣＭＣ−Ｎａ〕５．３ｇを入れる（この溶液を「Ａ」とする）。次に、１Ｌのビーカーにイオン交換水５５６ｇを入れ、スターラーで撹拌しながら塩化ナトリウム〔関東化学（株）製〕２７．０ｇ、炭酸水素ナトリウム〔ＮａＨＣＯ3 、関東化学（株）製〕１２ｇを入れ、完全に溶解させる（この溶液を「Ｂ」とする）。更に、３Ｌのビーカーにグリセリンを９００ｇ量り取り、上記（Ａ）及び（Ｂ）を加えて撹拌する。更に、ノニオン系の界面活性剤「エマルゲン９３５」〔製造販売元  花王（株）〕の濃度（界面活性剤／水）＝１ｇ／Ｌの水溶液１５ｍｌと、食用赤色２号〔発売元：アイゼン（株）、保土ヶ谷化学工業（株）、製造元：ダイワ化成（株）〕０．３ｇを加え、撹拌する。このようにして得られた溶液を、ガラス濾過器を用いて吸引濾過し、その濾液を擬似血液とする。尚、擬似血液の調整の際には、上述した界面活性剤に代えて、他のノニオン系の界面活性剤を用いることもでき、同様の結果を得ることができる。但し、界面活性剤の使用量を、最終的に得られる擬似血液のガラス表面に対する接触角が３５〜４０゜の範囲になるように調整する必要がある。前記接触角は、接触角測定装置（協和界面科学（株）、ＦＡＣＥ接触角計  ＣＡ−Ａ型）を用い、ガラス表面（エタノール洗浄後）と擬似血液との接触角を測定する。
【図面の簡単な説明】
【００４８】
【図１】図１は、本発明の第１の実施形態としての生理用ナプキンを示す斜視図である。
【図２】図２は、図１におけるII−II線断面図とその要部部分拡大図である。
【図３】図３は、図１のII−II線断面における吸収体の液吸収後の状態を示す部分拡大図である。
【図４】図４（ａ）は本発明の第２の実施形態としてのおむつを示す斜視図であり、図４（ｂ）は図４（ａ）におけるｂ−ｂ線断面図、図４（ｃ）は吸収体の圧縮部の配置を示す平面図である。
【図５】図５は、本発明の第３の実施形態としての生理用ナプキンにおける吸収体の断面図である
【符号の説明】
【００４９】
１  生理用ナプキン（吸収性物品）
２  表面シート
３  裏面シート
４  吸収体
５  側部シート
７  圧縮部
８  最小厚み部
９  傾斜部
１０  非圧縮部
【図１】
2006055352.tif 000003
【図２】
2006055352.tif 000004
【図３】
2006055352.tif 000005
【図４】
2006055352.tif 000006
【図５】
2006055352.tif 000007